(57)【要約】【課題】地震により吊天井と壁面等の位置関係が水平方向及び垂直方向に変化しても、隙間を塞ぐことができ、また、地震が収まった後には、地震前の状態に復帰することができる天井体を提供する。【解決手段】  吊天井と、吊天井の側面と壁面との隙間を塞ぐ塞ぎ材とを備え、塞ぎ材は、壁面に固定される天板受けと天板受けに対して上下回動自在に支持された天板とからなり、天板は、吊天井の側面と壁面との隙間を塞ぐ天板本体と、天板本体の上方位置に設けられた支持軸と、天板受けにガイドされる回動被ガイド部を有しており、天板受けは、壁面に固定される固定部と、天板の支持軸を受ける軸受部と、天板の回動をガイドする回動ガイド部を有している。【選択図】図２
2018044413.tif 000002
【特許請求の範囲】
【請求項１】
吊天井と、吊天井の側面と壁面との隙間を塞ぐ塞ぎ材とを備え、
塞ぎ材は、壁面に固定される天板受けと天板受けに対して上下回動自在に支持された天板とからなり、
天板は、吊天井の側面と壁面との隙間を塞ぐ天板本体と、天板本体の上方位置に設けられた支持軸と、天板受けにガイドされる回動被ガイド部を有しており、
天板受けは、壁面に固定される固定部と、天板の支持軸を受ける軸受部と、天板の回動をガイドする回動ガイド部を有している
ことを特徴とする天井体。
【請求項２】
複数の吊天井と、吊天井間の隙間を塞ぐ塞ぎ材とを備え、
塞ぎ材は、一方の吊天井に固定される天板受けと天板受けに対して上下回動自在に支持された天板とからなり、
天板は、一方側の吊天井の側面と他方側の吊天井の側面との隙間を塞ぐ天板本体と、天板本体の上方位置に設けられた支持軸と、天板受けにガイドされる回動被ガイド部を有しており、
天板受けは、一方側の吊天井に固定される固定部と、天板の支持軸を受ける軸受部と、天板の回動をガイドする回動ガイド部を有している
ことを特徴とする天井体。
【発明の詳細な説明】
【技術分野】
【０００１】
天井スラブより吊持される吊天井を用いた天井体に関する。
【背景技術】
【０００２】
天井として、天井スラブより吊持される吊天井を用いたものが知られており、吊天井と壁面との間に生じる隙間を覆う壁見切を壁面に配置した天井が公知となっている。（特許文献１）。
【先行技術文献】
【特許文献】
【０００３】
【特許文献１】特開平６−９３６８０号公報
【発明の概要】
【発明が解決しようとする課題】
【０００４】
前記特許文献１の天井は、通常状態において、吊天井と壁面との間を塞ぎ、室内空間と天井裏の空間との連通を防止することはでき、また、比較的小さな地震に対しては吊天井の振動を抑えることができる。
しかしながら、比較的大きな地震が発生したときには吊天井が大きく振り子のように揺れて、吊天井の端面が壁見切に当接して壁見切を破損してしまう可能性があった。
【０００５】
本発明は、上記の事情を鑑み、吊天井と壁面との間の隙間、もしくは吊天井同士の間の隙間が見えないように隠してほこりが入り込むことを防止し、且つ、空気の流入を防いで冷暖房効率を向上させるとともに、大きな地震により吊天井と壁面、吊天井同士の位置関係が水平方向及び垂直方向に変化しても、塞ぎ材が追随して可動するだけで、壁面の塞ぎ材や吊天井が接触して破損することを防止できる天井体を提供することを目的とするものである。
【課題を解決するための手段】
【０００６】
本願の請求項１に係る発明は、吊天井と、吊天井の側面と壁面との隙間を塞ぐ塞ぎ材とを備え、塞ぎ材は、壁面に固定される天板受けと天板受けに対して上下回動自在に支持された天板とからなり、天板は、吊天井の側面と壁面との隙間を塞ぐ天板本体と、天板本体の上方位置に設けられた支持軸と、天板受けにガイドされる回動被ガイド部を有しており、天板受けは、壁面に固定される固定部と、天板の支持軸を受ける軸受部と、天板の回動をガイドする回動ガイド部を有していることを特徴とする天井体。
本願の請求項２に係る発明は、複数の吊天井と、吊天井間の隙間を塞ぐ塞ぎ材とを備え、塞ぎ材は、一方の吊天井に固定される天板受けと天板受けに対して上下回動自在に支持された天板とからなり、天板は、一方側の吊天井の側面と他方側の吊天井の側面との隙間を塞ぐ天板本体と、天板本体の上方位置に設けられた支持軸と、天板受けにガイドされる回動被ガイド部を有しており、天板受けは、一方側の吊天井に固定される固定部と、天板の支持軸を受ける軸受部と、天板の回動をガイドする回動ガイド部を有していることを特徴とする。
【発明の効果】
【０００７】
地震時に建造物が揺れることにより、壁面や吊天井等が揺れて相互の位置関係が変化しても、壁面や吊天井同士が接触することが防止でき、壁面と吊天井、もしくは、吊天井同士の位置関係の変化を吸収して隙間があくことを防止できる。
【図面の簡単な説明】
【０００８】
【図１】本発明の実施形態に係る天井体の縦断面図である。
【図２】本発明の実施形態に係る天井体の図であり、（ａ）は吊天井と壁面との接合部の縦断面図であり、（ｂ）は（ａ）の領域Ｐの拡大図である。
【図３】本発明の実施形態に係る天井体の図であり、吊天井が揺れるなど移動した状態における吊天井と壁面との接合部の縦断面図である。
【図４】本発明の実施形態に係る天井体を構成する塞ぎ材の分解図である。
【図５】本発明の実施形態に係る天井体を構成する塞ぎ材の縦断面図であり、（ａ）は通常の水平状態の図であり、（ｂ）は吊り天井が揺れた際に、外れ止め部材によって塞ぎ材の天板の外れが防止されている状態の図である。
【図６】本発明の実施形態に係る天井体の塞ぎ材の天板の取付手順を示す縦断面図である。
【図７】本発明の他の実施形態に係る天井体の図であり、吊天井間の接合部の縦断面図である。
【発明を実施するための形態】
【０００９】
−天井体の全体構成−
本発明の天井体について、吊天井と壁面との間に塞ぎ材を配置した実施形態を用いて、図面を参照しながら説明する。
（全体の構成）
図１に示すように、本発明の実施形態の天井体は、天井スラブＡに埋設されたアンカー１ａに固定された複数の吊ボルト部材１ｂを介して吊下される吊天井１と、吊天井１と壁面２との間に生じる隙間を塞ぐ塞ぎ材３とにより構成される。
なお、本発明の天井体に用いられる塞ぎ材は、天井スラブＡから吊ボルト部材１ｂを介して吊下される複数の吊天井１，１１間に生じる隙間を塞ぐ塞ぎ材４としても構成することができる。
【００１０】
（吊天井の構成）
本発明の実施形態の吊天井１は、図２（ａ）に示すように、垂設された複数の吊ボルト部材１ｂの下端にハンガー１ｃを介して支持される野縁受け１ｄと、野縁受け１ｄに対して直交するように配置されてクリップ１ｅによって支持される野縁１ｆと、野縁１ｆに支持される天井材１ｇとから構成されており、天井材１ｇの側端部には、天井材１ｇ、野縁受け１ｄの端面を覆うように見切材５１が配置されている。
【００１１】
壁スラブＢには、スチール下地２１等を介して壁面２が形成されており、吊天井１は、地震時等に吊天井１が揺れたときに天井材１ｇの側端部の見切材５１と壁面２とが接触して破損することがないように、天井材１ｇの側端部の見切材５１と壁面２との間に間隔ｓ１をあけて配置されている。
【００１２】
見切材５１は、アルミ形材等からなり、吊天井１の端部を覆う見切壁部５１ａと、見切壁部５１ａの下方位置から内周側（吊天井側）に延設される取付片５１ｂとを備えており、取付片５１ｂを野縁１ｆにネジ等の固定手段により固定することで吊天井１の端面に固定されている。
見切壁部５１ａは野縁受け１ｄの上面位置よりも上方位置に至るまで延設されており、見切壁部５１ａの上端部は内周側（吊天井側）に屈曲して延び、隣接して配置される見切材５１と連結するためのジョイントが挿入されるジョイントスリーブ５１ｃが下方に開口する溝部として形成されている。同様に、見切壁部５１ａの下端部は、内周側（吊天井側）に屈曲して延び、同ジョイントスリーブ５１ｄが上方に開口する溝部として形成されてている。
【００１３】
見切壁部５１ａの上端部に形成されたジョイントスリーブ５１ｃの上面には、適宜長さ（例えば１００ｍｍ）のモヘア材等の防振材５１ｅが所定間隔（１０００ｍｍ以下）で取り付けられている。
なお、見切材５１のジョイントスリーブ５１ｃの上面に取り付けられる防振材５１ｅは、後述する塞ぎ材３の天板３１の下面との摩擦や衝突音を軽減することができるものであれば、モヘア材に限定されるものではなく、滑りテープや滑り塗装等のどのような処理であってもよく、また、防振材５１ｅは見切材５１の長手方向全長に設けられていても良い。
【００１４】
（壁面と吊天井との間を塞ぐ塞ぎ材の構成）
本発明の実施形態の天井体の壁面と吊天井との間を塞ぐ塞ぎ材３は、壁面２と見切材５１との隙間（間隔ｓ１）を塞ぐ天板３１と、壁面２に固定され天板３１を回動自在に支持する天板受け３２と、天板受け３２に支持された天板３１の外れを防止する外れ止め部材３３とを備えている。
【００１５】
壁面２に固定された天板受け３２は、天板３１の下面が水平となる位置から上方に所定の角度（例えば６０度）の揺動範囲をもって天板３１を支持しており、天板受け３２は、通常状態において天板３１を水平状態に維持し、図２（ｂ）に示すように、天板受け３２に支持された天板３１の下面が見切材５１の見切壁部５１ａの上端部と離間した状態で、防振材５１ｅに当接するよう位置（高さ）調節されて壁面２に取り付けられている。
天板３１の短尺方向の寸法は、天井材１ｇの側端部に設けられた見切材５１と壁面２との間隔ｓ１よりも十分に大きく、通常状態には、見切材５１のジョイントスリーブ５１ｃの上面に設けられた防振材５１ｅに対して、天板３１の下面の短尺方向の略中間部位が載置されている。
なお、塞ぎ材３は、室内の入隅部、出隅部においては、天板３１の長手方向の端部が斜め切りされ、他の壁面２に配置された塞ぎ材３と斜め切りされた端部同士を突き合わせて連続している。
【００１６】
以上のように、天井材１ｇの側端部の見切材５１と壁面２との間には、地震時において吊天井１が揺れた場合であっても吊天井１の見切材５１が壁面２と接触しない十分な間隔ｓ１が設けられており、かつ、吊天井１の見切材５１と壁面２との隙間は、間隔ｓ１よりも十分に大きな幅寸法を有する塞ぎ材３により閉塞されているので、地震時においても、吊天井１や壁面２の破損を防止しながら、天井裏の空間と室内空間との間を分離することができる。
そして、塞ぎ材３の天板３１が壁面２に固定された天板受け３２対して上下回動自在に支持されているので、図３に示すように、地震時に吊天井１が揺動して吊天井１が矢印ｘにように移動して見切材５１と壁面２との水平方向及び垂直方向の位置関係が変化しても、天板３１が天板受け３２に対して揺動することにより塞ぎ材３と吊天井１とが衝突して破損することが防止でき、地震後には、各部材は地震前の状態に復帰することができる。
【００１７】
（塞ぎ材の構造）
本実施形態の天井体においては、壁面２に対して天板３１を所定角度範囲において回動自在に支持する天板３１の支持部３１２及び天板受け３２の支持受部３２１の構成に特徴がある
以下、本実施形態の天井体の塞ぎ材３について、詳細に説明する。
塞ぎ材３を構成する天板３１の支持部３１２は、図４（ｃ）に示すように、天板本体３１１の端部近傍上面より立ち上がる立上壁３１２ａと、立上壁３１２ａの上端に連続して壁面方向に延びる自重受部３１２ｂと、自重受部３１２ｂに連続して壁面側に向かって下方に凸となるように湾曲して延設される回動被ガイド部３１２ｃと、回動被ガイド部３１２ｃの凹面側（壁面側）から突出して形成される支持軸３１２ｄとを有しており、回動被ガイド部３１２ｃの湾曲は、支持軸３１２ｄを中心とした円弧を形成する曲面により形成されている。
【００１８】
一方、塞ぎ材３を構成する天板受け３２の支持受部３２１は、図４（ａ）に示すように、壁面２に固定するための固定壁（固定部）３２２の下方部位に形成される軸受部３２１ａと、軸受部３２１ａの下面を形成する底壁から垂下する垂下壁３２１ｂと、垂下壁３２１ｂの下端から反壁面側（吊天井側）に向かって下方に凸となるように湾曲して延設される回動ガイド部３２１ｃと、回動ガイド部３２１ｃの上端に形成される載置部３２１ｄと、垂下壁３２１ｂの下端に設けられる底面部３２１ｅとを有している。回動ガイド部３２１ｃの湾曲は、天板３１が取り付けられた際の支持軸３１２ｄを中心とした円弧を形成する曲面により形成されている。
【００１９】
天板受け３２の固定壁３２２には、天板３１の外れを防止する外れ止め部材３３を係止するための係止爪３２２ａ，３２２ｂが鉤状に突設されており、係止爪３２２ａ，３２２ｂの上方位置においてネジ等の固定手段ｂによってスチール下地２１等に固定されることで壁面２に固定されている（図２）。
【００２０】
塞ぎ材３を構成する外れ止め部材３３は、図４（ｂ）に示すように、天板受け３２の係止爪３２２ａ，３２２ｂに係止する係止部３３１ａ，３３１ｂを有する固定部３３１と、固定部３３１の下端から吊天井側に屈曲し下方に延びる外れ止め壁３３２とを備えている。
【００２１】
そして、図５（ａ）に示すように、壁面２に固定された天板受け３２に対して、天板３１を支持した状態においては、天板３１に形成した支持軸３１２ｄが天板受け３２の軸受部３２１ａに配置されるとともに、天板３１の回動被ガイド部３１２ｃの外周面が天板受け３２の回動ガイド部３２１ｃの内周面に摺動自在に支持されることとなり、天板３１は、支持軸３１２ｄを中心とした安定した回動が可能となっている。
そして、天板３１が水平となった状態において、天板の支持部３１２の自重受部３１２ｂが天板受け３２の回動ガイド部３２１ｃの上端に形成した載置部３２１ｄに当接して，それ以上の回動が規制され、天板３１の水平状態を維持することができる。
【００２２】
外れ止め部材３３は、係止部３３１ａ，３３１ｂが天板受け３２の係止爪３２２ａ，３２２ｂに係止された状態で外れ止め壁３３２が天板３１の支持軸３１２ｄの上方位置に配置され、図５（ｂ）に示すように、天板３１が上方に回動することにより支持軸３１２ｄが外れ止め壁３３２に当接し、必要以上の上方への回動を規制して天板３１の外れを防止している。
【００２３】
以上のように、本実施形態の塞ぎ材３によれば、天板３１と天板３１を回動自在に支持する天板受け３２に、それぞれ支持軸３１２ｄの回動中心とした円弧を形成する曲面を有する回動被ガイド部３１２ｃ及び回動ガイド部３２１ｃを備えており、回動被ガイド部３１２ｃと回動ガイド部３２１ｃとの摺動により支持軸３１２ｄを中心とした上下回動を支持しているので、天板３１の上下回動を安定した状態でスムーズに行うことができる。
また、天板受け３２の回動ガイド部３２１ｃの上端に形成した載置部３２１ｄが天板３１の回動被ガイド部３１２ｃの上端に連続する自重受部３１２ｂに当接することで、天板３１を水平状態に維持することができる。
【００２４】
さらに、天板３１の自重受部３１２ｂが天板本体３１１の上面に形成されており、天板３１の天板本体３１１は立上壁３１２ａの壁面側にまで延びているので、天板受け３２に対して天板３１を支持した状態では、回動ガイド部３２１ｃの上端に形成された載置部３２１ｄと天板３１の支持部３１２の自重受部３１２ｂとの当接部分は、天板３１の天板本体３１１の側壁側端部３１１ａによって下方から覆われることとなる。また、天板受け３２の底面部３２１ｅが天板３１の天板本体３１１の下面と同じ高さ位置となるように配置され、天板３１と天板受け３２の底面同志が面一に配置されることとなるので、塞ぎ材３全体が面一となり意匠性がよい。
【００２５】
（天板の取付方法）
以下に、本実施形態の塞ぎ材３の天板受け３２に対する天板３１の取付方法について説明する。
まず、図６（ａ）に示すように、壁面２のスチール下地等に対してネジ等の固定手段ｂにより天板受け３２を固定する。その後、天板３１を支持部３１２を下に略垂直となるようにした状態で、天板３１の支持軸３１２ｄが天板受け３２の回動ガイド部３２１ｃの壁面側に侵入するように落とし込む。このとき、回動ガイド部３２１ｃの壁面側への侵入角度を７５〜９０°とすることで、天板３１の支持軸３１２ｄをスムーズに回動ガイド部３２１ｃの内側に導くことができる。
【００２６】
天板３１の支持軸３１２ｄが回動ガイド部３２１ｃの壁面側に配置されたら、図６（ｂ）に示すように、天板３１を吊天井１側に倒すように回動させて、天板３１の支持軸３１２ｄを天板受け３２の軸受部３２１ａに侵入させる。支持軸３１２ｃが軸受部３２１ａに侵入した後、天板３１をさらに回動させることで、図６（ｃ）に示すように、天板３１の回動被ガイド部３１２ｃを天板受け３２の回動ガイド部３２１ｃにガイドさせることができる。
【００２７】
そして、天板受け３２の回動ガイド部３２１ｃに天板３１の回動被ガイド部３１２ｃをガイドさせながら天板３１を回動していくと、天板本体３１１が水平状態となったときに、回動ガイド部３２１ｃの上端の載置部３２１ｄに天板３１の回動被ガイド部３１２ｃの上端に連設される自重受部３１２ｂが当接することで、それ以上の回動が規制され、天板本体３１１の水平状態を維持した状態で取り付けることができる。
【００２８】
さらに、外れ止め部材３３を天板受け３２に固定することにより、天板３１の上方への回動が規制され、天板３１の外れを防止することができ、天板３１の自重受部３１２ｂが載置部３２１ｄに当接する水平状態から、支持軸３１２ｄが外れ止め部材３３の外れ止め壁３３２に当接する回動位置の間で回動自在に配置することができる。
【００２９】
（複数の吊天井の間を塞ぐ塞ぎ材の構成）
本発明を構成する塞ぎ材は、壁面と吊天井との間を塞ぐ塞ぎ材として採用するだけでなく、吊天井同士の間を塞ぐ塞ぎ材として採用することができる。
本発明の他の実施形態の天井体の複数の吊天井の間を塞ぐ塞ぎ材４は、図７に示すように、一方側の吊天井１１の側端部に配置される見切材５２と他方側の吊天井１２の側端部の見切材５３との隙間（間隔ｓ２）を塞ぐ天板４１と、一方側の吊天井１１に固定され天板４１を回動自在に支持する天板受け４２と、天板受け４２に支持された天板４１の外れを防止する外れ止め部材４３とを備えている。
【００３０】
一方側の吊天井１１に配置される天板受け４２の固定は、断面Ｌ字状のアングル材６を介してなされている。
アングル材６は、短辺６ａを水平にして長辺６ｂを吊天井１１の側端に向けて起立させた状態で吊天井１１の野縁受け１ｄ及びクリップ１ｅの上片上に配置され、野縁受け１ｄとクリップ１ｅとに共締め固定されるとともに、吊天井１１の側端に向いた長辺（起立辺）６ｂの下方部位が見切材５２の上端部にネジ等の固定手段により固定されて配置されている。そして、配置固定されたアングル材６の長片（起立片）６ｂに対して、塞ぎ材４の天板受け４２の固定壁（固定部）４２２がネジ等の固定手段により固定されて配置されている。
なお、吊天井に対する塞ぎ材の固定は、特に限定されるものではなく、アングル材を用いずに固定してもよく、また、アングル材の固定箇所も特に限定されるものではなく、野縁１ｆに固定するなどしてもよい。
【００３１】
配置された塞ぎ材４の天板受け４２は、天板４１の下面が水平となる位置から上方に所定の角度（例えば６０度）の揺動範囲をもって天板４１を支持しており、天板受け４２は、通常状態において天板４１を水平状態に維持し、天板４１の下面が他方側の吊天井１に固定された見切材５３の見切壁部５３ａの上端部と離間した状態で、防振材５３ｅに当接するよう位置（高さ）調節されて壁面２に取り付けられている。
天板４１の短尺方向の寸法は、一方側の吊天井１１の側端部に設けられた見切材５２と他方側の吊天井１２の側端部に設けられた見切材５３との間隔ｓ２よりも十分に大きく、通常状態には、見切材５３のジョイントスリーブ５３ｃの上面に設けられた防振材５３ｅに対して、天板４１の下面の短尺方向の略中間部位が載置されている。
そして、地震時等に吊天井１１，１２が揺れて両者の位置関係が変化しても、天板４１が天板受け４２に対して揺動することにより塞ぎ材４と吊天井１２とが衝突して破損することが防止でき、地震後には、各部材は地震前の状態に復帰することができる。
なお、塞ぎ材４の構成等については、壁面と吊天井との間を塞ぐ塞ぎ材３と同様であるので、説明は省略する。
【００３２】
以上のように、本発明の実施形態においては、吊天井と壁面との間もしくは吊天井と吊天井との間に、地震時に両者が接触しない十分な間隔を設けながら、その間隔を壁面もしくは一方側の吊天井に対して上下揺動自在に支持された塞ぎ材により塞ぐことにより、地震時に吊天井が揺れたときであっても、吊天井と壁面との位置関係もしくは吊天井同士の位置関係の変化を吸収して間隔を塞ぐことを維持することができ、天井裏の空間からほこり等が室内へ落下等することを防止できる。
【００３３】
そのとき、塞ぎ材は、天板の回動中心（支持軸）を中心とした曲面をガイド面として持つ天板の回動被ガイド部と天板受けの回動ガイド部との摺動によってガイドされているので、回動がスムーズで安定するとともに、回動ガイド部の先端に形成された載置部に天板の自重受部を当接することで天板を確実に水平に維持することができる。また、天板の水平状態を載置部に対して天板を当接させて自重により維持するので、天板を水平状態に維持するためにバネ等の特別な機構は必要なく、構成を簡単にすることができる。
さらに、天板受けに対して天板が水平に保持されるので、天板受けに天板を配置した後外れ止め部材を取り付けるときに、天板を手などで支持する必要がなく、施工性に優れている。
【００３４】
また、天板を回動自在に支持する支持軸及び回動ガイド部等の支持部、及び、天板受けの軸受部及び回動ガイド部等の支持受部は、天板本体の上方位置に配置されているので、天板と天板受けとの支持部分を天板によって覆い隠すことができ、また、天板３１の下面と天板受け３２の下面とを面一に形成することによって、室内側から天板３１を回動するための軸受け等が露出することなく、一体感があって意匠性に優れている。
【００３５】
また、塞ぎ材３の下面が当接する見切材５１の上面には、モヘア等の防振材５１ｅが設けられているので、見切材５１等の部位に対する塞ぎ材３の接触により異音などを発することがない。
なお、本実施形態においては、壁面と吊天井との間を塞ぐ塞ぎ材について説明したが、塞ぎ材は吊天井同志の間を塞ぐものでもよく、吊天井の構成や、塞ぎ材が当接する見切材等の形状や構成についても、上記実施形態に限定されるものではない。
【符号の説明】
【００３６】
１        ：吊天井
２        ：壁面
２１      ：スチール下地
３        ：塞ぎ材
３１      ：天板
３１１    ：天板本体
３１１ａ  ：側壁側端部
３１２    ：支持部
３１２ａ  ：立上壁
３１２ｂ  ：自重受部
３１２ｃ  ：回動被ガイド部
３１２ｄ  ：支持軸
３２      ：天板受け
３２１    ：支持受部
３２１ａ  ：軸受部
３２１ｂ  ：垂下壁
３２１ｃ  ：回動ガイド部
３２１ｄ  ：載置部
３２１ｅ  ：底面部
３２２    ：固定壁（固定部）
３２２ａ  ：係止爪
３２２ｂ  ：係止爪
３３      ：外れ止め部材
３３１    ：固定部
３３１ａ  ：係止部
３３１ｂ  ：係止部
３３２    ：外れ止め壁
５１      ：見切材
５１ａ    ：見切壁部
５１ｂ    ：取付片
５１ｃ    ：ジョイントスリーブ
５１ｄ    ：ジョイントスリーブ
５１ｅ    ：防振材
【図１】
2018044413.tif 000003
【図２】
2018044413.tif 000004
【図３】
2018044413.tif 000005
【図４】
2018044413.tif 000006
【図５】
2018044413.tif 000007
【図６】
2018044413.tif 000008
【図７】
2018044413.tif 000009